(57)【要約】      （修正有） 【課題】半導体ウェーハなど基板収納容器から該容器の持ち運びに使用するハンドルを安全に取り外すことを可とする取外し治具を提供する。【解決手段】ハンドル取り外し治具１の本体部材２の先端３には、傾斜面９と、傾斜面９の下部に設けられるハンドルの係止爪外周と噛み合う係合部とが形成されていて、前記先端部には上下方向に貫く貫通孔２３が形成されて、この貫通孔に操作ピン１４が移動可能に支持して、基板収納容器のハンドル取り外し治具を構成する。【選択図】図１
0003155058.tif 000002
【実用新案登録請求の範囲】
【請求項１】
基板収納容器のハンドル取り外し治具であって、ハンドル取り外し治具が、本体部材と、本体部材の先端側側面に、揺動可能に取り付けられる保持部材と、保持部材より本
体部材の先端に揺動可能に取り付けられる操作レバーとを有し、本体部材の先端には、
傾斜面と、傾斜面の下部に設けられハンドルの係止爪外周と噛み合う係合部とが形成さ
れていて、前記先端部には上下方向に貫く貫通孔が形成されていて、この貫通孔に操作
ピンが挿入されて、操作レバーが移動可能に支持されていることを特徴とする基板収納
容器のハンドル取り外し治具。
【請求項２】
前記保持部材が、前記ハンドルと基板収納容器との間に挿入される爪部によって前記
ハンドルを支承し、前記基板収納容器から取り外した前記ハンドルを保持可能とするこ
とを特徴とする請求項１記載の基板収納容器のハンドル取り外し治具。
【考案の詳細な説明】
【技術分野】
【０００１】
本考案は、半導体ウェーハやマスクガラス等の基板を収納する基板収納容器に使用されているハンドル取り外し治具に関する。
【背景技術】
【０００２】
従来の基板収納容器には、左右の側壁のそれぞれに、作業員が持ち運びに使用する一対のマニュアルハンドルが係止されていて、基板収納容器の手動でのハンドリングに使用されていた。こうしたマニュアルハンドル（以下ハンドルと記載）には、抜け防止を備えた係止部が設けられていて、基板収納容器の左右の側壁に設けられた取り付け部と、嵌合されて固定されていた。
【０００３】
このようなハンドルの取り外し治具の先行文献として、特許文献１に記載のものが知られていた。特許文献１の取り外し治具では、戻り止めを治具により、変形させて取り外
していたので、一度取り外したハンドルは、戻り爪部が変形してしまっているので、再度使用することが困難な場合が多かった。また、特許文献２では、新しいタイプのハンドルが用いられる基板収納容器が提案されていた。
【先行技術文献】
【特許文献】
【０００４】
【特許文献１】特開２００７−８８３５０
【特許文献２】特開２００８−２７０２８１
【考案の概要】
【考案が解決しようとする課題】
【０００５】
従来のハンドル取り付け構造では、抜け防止を備えた係止爪が基板収納容器の取り付け部に嵌合するようになっていたので、ハンドルを交換しようとすることに、取り外しが困難であり、これを無理に外そうとすれば、係止爪部を弾性変形以上に変形させる必要があり、塑性変形してしまったり、最悪の場合折れてしまうと言った問題があった。
【課題を解決するための手段】
【０００６】
本考案は、上記した問題点に鑑みてなされたものであり、基板収納容器のハンドル取り外し治具であって、ハンドル取り外し治具が、本体部材と、本体部材の先端側側面に、揺動可能に取り付けられる保持部材と、保持部材より本体部材の先端に揺動可能に取り付けられる操作レバーとを有し、本体部材の先端には、傾斜面と、傾斜面の下部に設けられハンドルの係止爪外周と噛み合う係合部とが形成されていて、前記先端部には上下方向に
貫く貫通孔が形成されていて、この貫通孔に操作ピンが挿入されて、操作レバーが移動可能に支持されていることを特徴とする基板収納容器のハンドル取り外し治具とできる。
【０００７】
また、前記保持部材が、前記ハンドルと基板収納容器との間に挿入される爪部によって前記ハンドルを支承し、前記基板収納容器から取り外した前記ハンドルを保持可能とすることができる。
【考案の効果】
【０００８】
本考案のハンドル取り外し治具を使用することで、基板収納容器に係止されたハンドルの係止爪を破損させずに、取り付け部から回避させて、無理なく取り外すことができるので、取り外したハンドルを繰り返し使用することができる。
【図面の簡単な説明】
【０００９】
【図１】本考案の実施形態のハンドル取り外し治具を表す斜視図。
【図２】本考案の実施形態のハンドル取り外し治具を表す側面図。
【図３】本考案の実施形態のハンドル取り外し治具が使用される基板収納容器を表す斜視図。
【図４】本考案のの実施形態のハンドル取り外し治具が使用される基板収納容器に取り付けられるハンドルの係止部を示す部分拡大図。
【図５】本考案の実施形態のハンドル取り外し治具が使用される基板収納容器のハンドル取り付け部を示す部分拡大図。
【図６】本考案の実施形態のハンドル取り外し治具が使用される基板収納容器にハンドルが取り付けられた状態を示す部分拡大図。
【図７】本考案の実施形態のハンドル取り外し治具が基板収納容器のハンドルに取りつけられた状態を示す部分断面図。
【図８】本考案の実施形態のハンドル取り外し治具が基板収納容器に取り付けられたハンドルを取り外す状態を示す部分断面図。
【図９】本考案の実施形態の操作ハンドルを押圧して基板収納容器からハンドルを取り外すために係止部を外した状態を示す部分断面図。
【図１０】本考案の実施形態の操作ハンドルを利用して基板収納容器に取り付けられたハンドルを取り外した状態を示す部分断面図。
【考案を実施するための形態】
【００１０】
本考案のハンドル取り外し治具１は、図１、図２に示すように、略直方体状に形成される本体部材２と、これの先端部３に取り付けられるハンドル２６の保持部材４と、操作レバー５とを有し、保持部材４は、本体部材側面に設けられる第一の貫通穴６と第一の固定用ピン部材７によって、本体部材２の側面先端部３に揺動可能に軸支されている。また、操作レバー５は、本体部材２側面に設けられる第ニの貫通穴１１と第二の固定用ピン部材１２によって、本体部材２の側面先端部３に揺動可能に軸支されている。
【００１１】
本体部材２は、作業員が把持可能な長さと太さに形成され、コーナー部が面取りされた把持部８と、把持部８の先端に位置して、これよりも細く形成された先端部３とを有している。先端部３の前面には、中間部から下面にかけて形成される傾斜面９と、傾斜面９の下部に、ハンドル２６の係止爪２９の外周に合致して、噛み合う形状に形成される係合部１０とが形成されている。
【００１２】
先端部３には、上面から下面を貫く第三の貫通穴１３が、前記した係合部１０の近傍に位置するように形成されていて、ここに円筒形で一端につば部１５を有する操作ピン１４が挿入される。第三の貫通穴１３の先端部３には大きな径で加工されたざぐり部３４が形成されていて、このざぐり部３４には、バネ部材３５が挿入されていて、操作ピン１４のつば部１５を押し圧するようになる。
【００１３】
保持部材４は、正面から見るとコの字形をしていて、本体部材２の下側に位置する連結部１６とここから二股に分かれて本体部材２の先端部３側面を両側から挟むように伸びる左右の側面部１７を有する。連結部１６のハンドル２６と向き合う面の下部には、ハンドル２６を下側から支承する爪部１８がハンドル２６側に突出するように形成されている。
【００１４】
保持部材４は、側面から見るとＬ字状に形成されていて、本体部材２側面の第一の貫通穴６と合致する位置に貫通穴２３が形成されている。これらの貫通穴２３には、第一の固定用ピン部材７が挿入されていて、保持部材４を本体部材２に揺動可能に軸止している。なお、第一の固定用ピン部材７は、円柱状に形成されていて、一端側が、貫通穴よりも大きく形成されたフランジ１９を有していて、他端側の周縁には、溝部を形成しておき、この溝に固定用のリング部品を取り付けて固定することができる。
【００１５】
操作レバー５は、棒状部２０と、この棒状部２０の先端に、棒状部２０よりも薄肉で、棒状部２０からほぼ直角に折れ曲がるように形成される板状部２１を有し、板状部２１には、第二の貫通穴１１と向き合う貫通穴が形成されていて、本体部材２側面の先端の第二の貫通穴１１に、本体方向に揺動可能に軸支されている。棒状部２０の本体部材２側と対向する下面側には、段差部２２が形成されていて、この段差部２２で操作ピン１４の先端を押圧可能に支持している。これにより、操作レバー５を操作したときに、本体部材２の上面から底面にかけて形成される第三の貫通穴１３に挿入支持された操作ピン１４が、本
体部材２の下面から突出するようになっている。  
【００１６】
図３は、ハンドル２６が取り付けられる基板収納容器２４を表す斜視図であり、基板収納容器２４は、正面に蓋体を３０備えており、左右の側壁には、ハンドル２６が取り付けられている。ハンドル２６は、左右の側壁の天面及び底面とのそれぞれの稜線を斜めに結ぶようにが取り付けられている。
【００１７】
図４、ハンドル２６に設けられる係止部２７を表していて、係止部２７は、中空状に形成された枠体部２８と、枠体部２８の一端から他端の開口部にかけて折り返し形成され、戻り止めとなる係止爪２９を備えていて、係止爪２９の外面には、外部からアクセス可能な操作部３２となる凹部が形成されている。
【００１８】
図５は、基板収納容器２４に設けられるハンドル取り付け部３１の部分拡大図を表している。ハンドル取り付け部３１は、基板収納容器２４の左右の側壁の天面及び底面とのそれぞれの稜線部に、架設形成されていて、ハンドル取り付け部３１に囲まれた部分が中空部３３として設けられていて、この中空部３３にハンドル２６の係止爪２９が嵌合する。
【００１９】
図６は、図５に示した基板収納容器２４に設けられるハンドル取り付け部３１にハンドル２６を取りつけた状態を表している。ハンドル２６の係止部２７の枠体部２８が、ハンドル取り付け部３１に挿入されて、ハンドルの係止部２７の係止爪２９が、ハンドル取り付け部３１の中空部３３に嵌合することで取り付けられる。
【００２０】
図７〜図１０は、ハンドル取り外し治具１を使用して、ハンドル２６を基板収納容器２４から取り外す状態を段階的に表す断面図である。図７は、ハンドル２６が取り付けられた基板収納容器２４のハンドル取り付け部３１の奥側端部に、ハンドル取り外し治具３１の保持部材４の爪部１８を挿入した状態を表していて、このとき保持部材４は、ハンドル取り付け部３１の外面と略平行になるように接触している。一方、本体部材２は、保持部材４との重なり部のなす角度が９０°以下の鋭角となっていて、下向きに傾斜してい
る。
【００２１】
次に、図８に示すように、本体部材２を保持部材４との重なり部のなす角度が略９０°となるように本体部材２を持上げて、先端部３の係合部１０がハンドル２６の係止爪２９の外側に接触するようにすることで、ハンドル２６の係止爪２９の外側に突出する操作部３２が、係合部１０によって押されることになる。このとき、ハンドル係止爪２９が、撓みながら基板収納容器２４のハンドル取り付け部３１から外れる。
【００２２】
次に、図９に示したように、操作レバー５を押し圧して、操作ピン１４を図９で下向き（係止爪２９側）に突出させて、ハンドル取り付け部３１に接触させるようにする。この操作により、操作ピン１４を外部に押し出すことによる反力を受けて、ハンドル２６がハンドル取り外し治具１の爪部１８に支承された状態で、ハンドル取り外し治具１と共に、ハンドル２６が、図９の上方（ハンドル取り付け部３１から外れる方向）に移動する。
【００２３】
図１０は、基板収納容器２４から、ハンドル２６を完全に取り除いた状態を表す断面図であり、係止爪２９を撓ませながらハンドル取り付け部３１から取り外した状態を表している。上記したように、ハンドル２６は、ハンドル取り外し治具１に支承された状態で、ハンドル取り付け部３１に対して平行に移動するようになるので、一方側に片当たりしてねじれることにより抵抗が発生することが無く、無理なくハンドル２６を取り外すことができるので、係止部２７の係止爪２９は弾性変形するだけで損傷することがなく、再利用が可能な状態で、取り外しができる。
【産業上の利用可能性】
【００２４】
本考案と同様の係止構造を備えたハンドルを、電子、電気部品、機構部品、あるいは、食品や医療など各種の物品収納容器から、取り外すことに利用できる。
【符号の説明】
【００２５】
１  ハンドル取り外し治具  、２  本体部材      、３  先端部
４  保持部材              、５  操作レバー    、６  第一の貫通穴
７  第一の固定用ピン部材  、８  把持部        、９  傾斜面
１０  係合部          、１１  第二の貫通穴  、１２  第二の固定ピン部材
１３  第三の貫通穴      、１４  操作ピン      、１５  つば部
１６  連結部            、１７  側面部        、１８  爪部
１９  フランジ          、２０  棒状部        、２１  板状部
２２  段差部            、２３  貫通穴        、２４  基板収納容器
２５  側壁              、２６  ハンドル      、２７  係止部
２８  枠体部            、２９  係止爪        、３０  ドア
３１  ハンドル取り付け部  、３２  操作部      、３３  中空部
３４  ざぐり部          、３５  バネ部材
【図１】
0003155058.tif 000003
【図２】
0003155058.tif 000004
【図３】
0003155058.tif 000005
【図４】
0003155058.tif 000006
【図５】
0003155058.tif 000007
【図６】
0003155058.tif 000008
【図７】
0003155058.tif 000009
【図８】
0003155058.tif 000010
【図９】
0003155058.tif 000011
【図１０】
0003155058.tif 000012